(57)【特許請求の範囲】
【請求項１】
長手方向がガラスの昇降方向と合致するように配置されたガイドと、正逆両方向に回転可能なモータと、該モータにより回転駆動されるドラムと、前記ガイドに案内されて昇降すると共に前記ガラスに固着されたスライダベースと、前記ガイドの上端側に位置する上側の定滑車と、前記ガイドの下端側に位置する下側の定滑車と、前記ドラムに巻回されると共に前記上側の定滑車及び前記下側の定滑車に巻き掛けられ、前記スライダベースを牽引するワイヤとを有し、前記モータにより前記ドラムを回転させることにより、前記ワイヤを介して前記スライダベースを前記ガイドの長手方向に移動させ、前記ガラスを昇降させるウインドレギュレータにおいて、
前記スライダベースには、動滑車が回転可能に枢支され、前記ドラムには、前記ワイヤの巻回用胴部として、大径胴部と該大径胴部に対して外径が１／２の小径胴部とが形成され、
前記ワイヤにおける前記ドラムの前記大径胴部から繰り出された部分は、前記上側の定滑車で下方に変向され、更に前記動滑車に巻き掛けられて上方に変向された後に、その先端が前記ガイドの上端側に係止され、一方、前記ワイヤにおける前記ドラムの前記小径胴部から繰り出された部分は、前記下側の定滑車で上方に変向された後に、前記スライダベースにその先端が係止されていることを特徴とするウインドレギュレータ。
【請求項２】
前記上側の定滑車は前記ガイドの上端部に回転可能に固着され、前記下側の定滑車は前記ガイドの下端部に回転可能に固着され、前記ワイヤにおける前記ドラムの前記大径胴部から繰り出された部分の先端は、前記ガイドの上端部に係止されていることを特徴とする請求項１記載のウインドレギュレータ。
【発明の詳細な説明】
【０００１】
【発明の属する技術分野】
本発明は、ワイヤ式のウインドレギュレータに関し、更に詳しくは、長手方向がガラスの昇降方向と合致するように配置されたガイドと、正逆両方向に回転可能なモータと、該モータにより回転駆動されるドラムと、ガイドに案内されて昇降すると共にガラスに固着されたスライダベースと、ガイドの上端側に位置する上側の定滑車と、ガイドの下端側に位置する下側の定滑車と、ドラムに巻回されると共に上側の定滑車及び下側の定滑車に巻き掛けられ、スライダベースを牽引するワイヤとを有し、モータによりドラムを回転させることにより、ワイヤを介してスライダベースをガイドの長手方向に移動させ、ガラスを昇降させるウインドレギュレータに関する。
【０００２】
【従来の技術】
この種のウインドレギュレータは、ワイヤの巻き掛け方式で分類すると次の２タイプになる。
▲１▼ドラムから繰り出されたワイヤの一端側を、上側の定滑車で下方に変向した後、スライダベースに係止し、ワイヤの他端側についても同様に、下側の定滑車で上方に変向した後、スライダベースに係止したもの。
▲２▼スライダベース上の上部と下部に動滑車を回転可能に枢支し、ドラムから繰り出されたワイヤの一端側を、上側の定滑車で下方に変向した後、スライダベース上部の動滑車に巻き掛けて上方に変向し、ガイドの上端側でその先端を係止し、ワイヤの他端側についても同様に、下側の定滑車で上方に変向した後、スライダベース下部の動滑車に巻き掛けて下方に変向し、ガイドの下端側でその先端を係止したもの（例えば、特開平６−１６７１６６号公報参照）。
【０００３】
【発明が解決しようとする課題】
巻き掛け方式▲２▼は、同一のドラムを用いる場合は、ガラスを昇降させるのに必要なモータ（ギヤボックスを含む）の出力が、巻き掛け方式▲１▼に比べて１／２になる。その結果、駆動源であるモータとして低出力のものを使用できるため、モータ部分の小形化・軽量化やコストダウンを実現でき、ドアの薄肉化による車室スペースの拡大も可能になるという利点がある。
【０００４】
反面、巻き掛け方式▲２▼では、スライダベース上の上部と下部に動滑車を設ける必要が生じると共に、ワイヤ長も膨大になるため、この部分の構成が巻き掛け方式▲１▼に比べて複雑になりコストが高くなるという欠点がある。
【０００５】
本発明は、上記問題点に鑑みてなされたもので、その目的は、モータ部分の小形化・軽量化やコストダウンが可能であると同時に、スライダベース部分の構成も比較的簡単にでき、ワイヤ長もさほど長くならないウインドレギュレータを実現することにある。
【０００６】
【課題を解決するための手段】
上記課題を解決する請求項１記載の発明は、長手方向がガラスの昇降方向と合致するように配置されたガイドと、正逆両方向に回転可能なモータと、該モータにより回転駆動されるドラムと、前記ガイドに案内されて昇降すると共に前記ガラスに固着されたスライダベースと、前記ガイドの上端側に位置する上側の定滑車と、前記ガイドの下端側に位置する下側の定滑車と、前記ドラムに巻回されると共に前記上側の定滑車及び前記下側の定滑車に巻き掛けられ、前記スライダベースを牽引するワイヤとを有し、前記モータにより前記ドラムを回転させることにより、前記ワイヤを介して前記スライダベースを前記ガイドの長手方向に移動させ、前記ガラスを昇降させるウインドレギュレータにおいて、前記スライダベースには、動滑車が回転可能に枢支され、前記ドラムには、前記ワイヤの巻回用胴部として、大径胴部と該大径胴部に対して外径が１／２の小径胴部とが形成され、前記ワイヤにおける前記ドラムの前記大径胴部から繰り出された部分は、前記上側の定滑車で下方に変向され、更に前記動滑車に巻き掛けられて上方に変向された後に、その先端が前記ガイドの上端側に係止され、一方、前記ワイヤにおける前記ドラムの前記小径胴部から繰り出された部分は、前記下側の定滑車で上方に変向された後に、前記スライダベースにその先端が係止されていることを特徴とするものである。
【０００７】
ガラスを上昇させる場合にはガラスを下降させる場合に比べて格段に大きな力が必要になる。本発明では、このガラスを上昇させる際に必要なモータの出力が、上記巻き掛け方式▲１▼に比べて１／２になる。その結果、駆動源であるモータとして低出力のものを使用でき、モータ部分の小形化・軽量化やコストダウンが可能になる。
【０００８】
しかも、スライダベース上には、ガラスを上昇させるための動滑車だけが設けられるため、上記巻き掛け方式▲２▼に比べてスライダベース部分の構成を簡単にでき、ワイヤ長も短くできる。
【０００９】
請求項２記載の発明は、上側の定滑車がガイドの上端部に回転可能に固着され、下側の定滑車がガイドの下端部に回転可能に固着され、ワイヤにおけるドラムの大径胴部から繰り出された部分の先端が、ガイドの上端部に係止されていることを特徴とするものである。
【００１０】
この発明によれば、上側及び下側の定滑車がガイドに固定され、ドラムの大径胴部から繰り出されたワイヤ部分の先端もガイドに係止されるため、、ワイヤの張架を含め、予めウインドレギュレータを組み立てておき、その後に、これをドアパネルに装着することが可能になり、ウインドレギュレータの組み付けが容易になる。
【００１１】
【発明の実施の形態】
本発明の実施の形態例を図１〜図３を用いて説明する。図１に示すように、ガイド１は、長手方向がガラス２の昇降方向(図１における上下方向)と合致するように配置されている。ガイド１には、長手方向に延びた線状のガイド部１ａが形成されている。ガイド１の上端部には、定滑車３が回転可能に固着され、ガイド１の下端部には、定滑車４が回転可能に固着されている。尚、ガイド１は、ドアパネル（インナパネル：図示せず）に取り付けられる。
【００１２】
スライダベース６上に設けられた二つのスライダ５Ａ，５Ｂは、ガイド１のガイド部１ａに昇降可能に嵌合し、スライダベース６の昇降を可能にしている。スライダベース６には、一つの動滑車１１が回転可能に枢支されている。又、このスライダベース６とガラス２の下部とは、二つの保持具７を用いて固着されている。これにより、ガラス２は、ガイド１に沿って昇降可能となっている。
【００１３】
ガイド１の側方には、ドラムベース８が配置されている。このドラムベース（ハウジング）８には、図３に示すように、円筒形のドラム保持部８ａが形成され、ここに、ドラム９が回転可能に保持されている。モータ１０の駆動シャフト１０ａは、ドラム９に嵌合し、ドラム９を回転駆動する。
【００１４】
このドラム９には、ワイヤ（インナケーブル）１２，１３の巻回用胴部として、大径胴部９ａと小径胴部９ｂとが形成されている。大径胴部９ａと小径胴部９ｂの外周面には、螺旋状の溝が刻設されている。ここで、小径胴部９ｂの外径は、大径胴部９ａの外径の１／２に選ばれている。
【００１５】
大径胴部９ａに巻回されたワイヤ１２は、一端がドラム９に係止され、大径胴部９ａから繰り出された部分は、上側の定滑車３で下方に変向され、更に動滑車１１に巻き掛けられて上方に変向された後に、その先端がガイド１の上端部に係止されている。ワイヤ１２の先端とガイド１との連結は、係止ブロック１ｂを用いて行っている。
【００１６】
小径胴部９ｂに巻回されたワイヤ１３も、一端がドラム９に係止され、小径胴部９ｂから繰り出された部分は、下側の定滑車４で上方に変向された後に、スライダベース６にその先端が係止されている。ワイヤ１３の先端とスライダベース６との連結は、係止ブロック６ａを用いて行っている。
【００１７】
ワイヤ１２，１３の大径胴部９ａ，小径胴部９ｂへの巻き方向は、ドラム９が回転したときに、ワイヤ１２，１３の繰り出し側部分の一方が巻き取られ、他方が一層繰り出されるように選ばれている。尚、ドラムベース８とガイド１との間のワイヤ１２，１３は、それぞれ、アウタケーブル１４，１５内に摺動自在に嵌挿されている。又、ドラムベース８やモータ１０はドアパネルに支持されている。
【００１８】
次に、上記形態例の作動を説明する。モータ１０を駆動することにより、ドラム９が回転する。ドラム９の回転により、例えば、ワイヤ１２の繰り出し側部分はドラム９より一層繰り出され、ワイヤ１３の繰り出し側部分はドラム９に巻き取られる。モータ１０を逆転させ、ドラム９を逆方向に回転させると、今度は、ワイヤ１３の繰り出し側部分がドラム９より一層繰り出され、ワイヤ１２の繰り出し側部分がドラム９に巻き取られる。
【００１９】
ここで、大径胴部９ａと小径胴部９ｂとの外径比が２：１であることから、ドラム９からのワイヤ１２の繰り出し量（又は巻き取り量）とドラム９によるワイヤ１３の巻き取り量（又はからの繰り出し量）との比も、２：１になる。しかし、ワイヤ１２は動滑車１１に巻き掛けられているため、スライダベース６の昇降速度に注目すると、この昇降速度は、ワイヤ１２におけるガイド１に沿った部分（正確には図１の右側に位置する垂下部分）の上下動の速度の１／２になる。一方、ワイヤ１３におけるガイド１に沿った部分の上下動の速度は、スライダベース６の昇降速度と同一である。
【００２０】
よって、ワイヤ１２，１３がスライダベース６を移動させようとする速度は一致し、ドラム９の回転によりワイヤ１２，１３に不適切な張り状態が生じることはない。このワイヤ１２，１３の運動により、スライダベース６がガイド１に沿って移動し、ガラス２の昇降が行われる。
【００２１】
本形態例において、ガラス２の上昇はワイヤ１２が受け持つことになるが、この場合には、動滑車１１の存在により、ワイヤ１２に加わる張力の２倍の力が、スライダベース６に引き上げ力として作用することになる。言い換えれば、モータ１０としては、スライダベース６を引き上げるのに要する力の半分の力をワイヤ１２に出力できればよい。
【００２２】
一方、ガラス２の下降はワイヤ１３が受け持つことになるが、この場合には、ワイヤ１３の張力そのものが、スライダベース６に引き下げ力として作用することになる。しかし、スライダベース６を引き下げる力は、引き上げる力に比べて格段に小さいため、スライダベース６を引き下げるのに要する力は小さい。
【００２３】
よって、本形態例では、ガラス２の昇降に際して、ドラム９がワイヤ１２，１３を引く力は小さくてよく、その駆動源であるモータ１０として低出力のものを使用でき、モータ１０部分の小形化・軽量化やコストダウンが可能になる。
【００２４】
又、スライダベース６が上死点若しくは下死点に到達した瞬間では、モータ１０の電源がオフになっていないため、一時的にモータ１０が全出力でワイヤ１２，１３を引っ張ることになる。しかし、本形態例では、モータ１０として低出力のものを用いているため、この瞬間でも、ワイヤ１２，１３に大きな張力はかからない。よって、ワイヤ１２，１３として、小径で低強度の、安価なワイヤを用いることができる。
【００２５】
更に、スライダベース６上には、ガラス２を上昇させるための動滑車１１だけが設けられるため、スライダベース６部分の構成も、上記巻き掛け方式▲２▼に比べて、簡単になり、ワイヤ１３の全長を短くできる。すなわち、スライダベース６部分の構成を比較的簡単にでき、上記巻き掛け方式▲１▼に比べて、ワイヤ長もさほど長くならない。
【００２６】
又、上側及び下側の定滑車３，４をガイド１の上端部及び下端部に回転可能に固着し、ワイヤ１２におけるドラム９の大径胴部９ａから繰り出された部分の先端を、ガイド１の上端部に係止したので、ワイヤ１２，１３の張架を含め、予めウインドレギュレータを組み立てておくことができ、この組み立てた状態のウインドレギュレータをドアパネルに装着することにより、ウインドレギュレータの組み付けが容易になる。
【００２７】
尚、本発明は上記形態例に限るものではない。例えば、上記形態例では、定滑車３，４をガイド１に固着し、ワイヤ１２の先端をガイド１に係止したが、これらをドアパネル若しくはドアパネルと一体の他の部材に固着したり係止してもよい。又、ワイヤ１２，１３の一端をドラム９に係止することをやめ、この端部を連結し、ワイヤ１２，１３を連続した一本のワイヤとして形成してもよい。更に、ガイド１に対するスライダベース６の摺動構造は、その機能を発揮できるものであれば、どのようなものであってもよい。
【００２８】
【発明の効果】
以上述べたように、請求項１及び２記載の発明によれば、ガラスを昇降させる際に必要なモータの出力が小さくて済むため、モータとして低出力のものを使用でき、モータ部分の小形化・軽量化やコストダウンが可能になる。しかも、スライダベース上には、ガラスを上昇させるための動滑車だけが設けられるため、スライダベース部分の構成も比較的簡単にでき、ワイヤ長もさほど長くならない。又、モータとして低出力のものを使用できた結果、ワイヤとして、小径で低強度の、安価なワイヤを用いることができる。
【００２９】
加えて、請求項２記載の発明によれば、上側及び下側の定滑車がガイドに固定され、ドラムの大径胴部から繰り出されたワイヤ部分の先端もガイドに係止されるため、ワイヤの張架を含め、予めウインドレギュレータを組み立てておき、その後に、これをドアパネルに装着することが可能になり、ウインドレギュレータの組み付けが容易になる。
【図面の簡単な説明】
【図１】本発明の実施の形態例を示す構成図である。
【図２】図１の切断線Ａ−Ａ（図示しないが、切断線Ａ−Ａは、定滑車３及び動滑車１１だけでなく係止ブロック１ｂ，６ａをも通る）での断面図である。
【図３】図１の形態例におけるドラム及びその周辺部分の構成を示す分解斜視図である。
【符号の説明】
１             ガイド
１ａ           ガイド部
２             ガラス
３，４         定滑車
５Ａ，５Ｂ     スライダ
６             スライダベース
８             ドラムベース
９             ドラム
９ａ           大径胴部
９ｂ           小径胴部
１０           モータ
１０ａ         駆動シャフト
１１           動滑車
１２，１３     ワイヤ
【図１】
0003749430.tif 000002
【図２】
0003749430.tif 000003
【図３】
0003749430.tif 000004